(57)【要約】  対象者１２０のためのリアルタイムの個人に合わせた治療ガイダンスのためのポータブル医療装置７０は、ユーザインターフェース７２と、通信モジュール７４と、コントローラ７６とを備える。ユーザインターフェース７２は、対象者の識別情報を取得する。通信モジュール７４は、（ｉ）少なくとも対象者の物理的身体測定値を備えるクラウドベースの電子健康記録を記憶しているリモートサーバ７８、（ｉｉ）ポータブル医療装置から所与の近接距離内に位置するスマートフォン８０、のうちの少なくとも１つと通信する。通信モジュール７４は更に、対象者の識別情報に応じて、クラウドベースの電子健康記録を取り出す。コントローラ７６は、クラウドベースの電子健康記録からの対象者の物理的身体測定値に応じて、個人に合わせた治療を対象者１２０に施すためにポータブル医療装置のユーザ１１８が従うべきリアルタイムの個人に合わせた治療ガイダンスを生成する。
2018529434.tif 000002
【特許請求の範囲】
【請求項１】
対象者のためのリアルタイムの個人に合わせた治療ガイダンスのためのポータブル医療装置であって、前記ポータブル医療装置は、
前記対象者の識別情報を取得するためのユーザインターフェースと、
（ｉ）少なくとも前記対象者の物理的身体測定値を備えるクラウドベースの電子健康記録を記憶しているリモートサーバ、及び（ｉｉ）前記ポータブル医療装置から所与の近接距離内に位置するスマートフォンのうちの少なくとも１つと通信する通信モジュールであって、更に、前記対象者の識別情報に応じて、前記リモートサーバ、又は前記スマートフォンのうちの少なくとも１つを介して、前記クラウドベースの電子健康記録を取り出すための前記通信モジュールと、
少なくとも前記クラウドベースの電子健康記録からの前記対象者の物理的身体測定値に応じて、個人に合わせた治療を前記対象者に施すために前記ポータブル医療装置のユーザが従うべきリアルタイムの個人に合わせた治療ガイダンスを生成するコントローラとを備える、
ポータブル医療装置。
【請求項２】
前記ユーザインターフェースは、タッチスクリーンディスプレイ、光学的ディスプレイ、マイクロフォン、キーパッド、キーボード、ポインティングデバイス、画像キャプチャデバイス、ビデオカメラ、音声出力デバイス、及び入力／出力デバイスのうちの少なくとも１つを備える、請求項１に記載のポータブル医療装置。
【請求項３】
前記リアルタイムの個人に合わせた治療ガイダンスは、前記クラウドベースの電子健康記録からの前記対象者の物理的身体測定値に応じた、除細動ショックを施すための前記対象者上の除細動電極の配置の視覚的識別及び音声式識別のうちの少なくとも１つを備える、請求項１に記載のポータブル医療装置。
【請求項４】
前記リアルタイムの個人に合わせた治療ガイダンスは、前記クラウドベースの電子健康記録からの前記対象者の物理的身体測定値に応じた、心肺蘇生（ＣＰＲ）を施すためのＣＰＲ支援デバイス又は前記対象者の手の配置の視覚的識別及び音声式識別のうちの少なくとも１つを備える、請求項１に記載のポータブル医療装置。
【請求項５】
前記リアルタイムの個人に合わせた治療ガイダンスは、前記クラウドベースの電子健康記録からの前記対象者の物理的身体測定値に応じた、心電計（ＥＣＧ）データを取得するための前記対象者上のＥＣＧ電極の配置の視覚的識別及び音声式識別のうちの少なくとも１つを備える、請求項１に記載のポータブル医療装置。
【請求項６】
前記ユーザインターフェースは、
拡張現実グラスを更に備え、前記拡張現実グラスは、前記リアルタイムの個人に合わせた治療ガイダンスを、（ｉ）前記拡張現実グラスによって見た前記対象者の画像、及び（ｉｉ）前記対象者の物理的身体測定値の前記クラウドベースの電子健康記録に応じて、前記対象者への前記個人に合わせた治療の少なくとも一態様のための重畳ガイダンスとして提供する、
請求項１に記載のポータブル医療装置。
【請求項７】
前記重畳ガイダンスは、（ｉ）前記対象者の胸部における個人に合わせたＣＰＲ治療の場所の輪郭、（ｉｉ）前記対象者の胸部における個人に合わせた圧迫の深さ及び解放の実施を示す輪郭、及び（ｉｉｉ）前記対象者の胸部における個人に合わせた除細動電極の位置の輪郭のうちの少なくとも１つを備える、請求項６に記載のポータブル医療装置。
【請求項８】
前記重畳ガイダンスは、前記対象者の上半身におけるＥＣＧ電極の個人に合わせた配置の輪郭を備える、請求項６に記載のポータブル医療装置。
【請求項９】
前記ユーザインターフェースは、タッチスクリーンディスプレイ、光学的ディスプレイ、マイクロフォン、キーパッド、キーボード、ポインティングデバイス、画像キャプチャデバイス、ビデオカメラ、音声出力デバイス、及び入力／出力デバイスのうちの少なくとも１つをさらに備える、請求項６に記載のポータブル医療装置。
【請求項１０】
前記ポータブル医療装置は、緊急用自動式体外式除細動器（ＡＥＤ）、緊急用ＣＰＲメトロノーム及び心電計（ＥＣＧ）モニタからなる群から選択されるものを少なくとも１つ備える、請求項１に記載のポータブル医療装置。
【請求項１１】
ポータブル医療装置を使用した対象者のためのリアルタイムの個人に合わせた治療ガイダンスのための方法であって、前記方法は、
ユーザインターフェースを介して、前記対象者の識別情報を取得するステップと、
通信モジュールを介して、（ｉ）少なくとも前記対象者の物理的身体測定値を備えるクラウドベースの電子健康記録を記憶しているリモートサーバ、及び（ｉｉ）前記ポータブル医療デバイスから所与の近接距離内に位置するスマートフォンのうちの少なくとも１つと通信するステップであって、前記対象者の識別情報に応じて、前記リモートサーバ、又は前記スマートフォンのうちの少なくとも１つを介して、前記クラウドベースの電子健康記録を取り出すステップを更に含む、通信するステップと、
コントローラを介して、個人に合わせた治療を前記対象者に施すために前記ポータブル医療デバイスのユーザが従うべきリアルタイムの個人に合わせた治療ガイダンスを生成するステップであって、前記リアルタイムの個人に合わせた治療ガイダンスは、少なくとも前記クラウドベースの電子健康記録からの前記対象者の物理的身体測定値に応じて生成される、生成するステップと、
を有する、方法。
【請求項１２】
前記ユーザインターフェースを介して取得するステップは、タッチスクリーンディスプレイ、光学的ディスプレイ、マイクロフォン、キーパッド、キーボード、ポインティングデバイス、画像キャプチャデバイス、ビデオカメラ、音声出力デバイス、及び入力／出力デバイスのうちの少なくとも１つを介して取得するステップを備える、請求項１１に記載の方法。
【請求項１３】
前記リアルタイムの個人に合わせた治療ガイダンスを生成するステップは、前記クラウドベースの電子健康記録からの前記対象者の物理的身体測定値に応じた、除細動ショックを施すための前記対象者上の除細動電極の配置の視覚的識別及び音声式識別のうちの少なくとも１つを生成するステップを備える、請求項１１に記載の方法。
【請求項１４】
前記リアルタイムの個人に合わせた治療ガイダンスを生成するステップは、前記クラウドベースの電子健康記録からの前記対象者の物理的身体測定値に応じた、心肺蘇生（ＣＰＲ）を施すためのＣＰＲ支援デバイス又は前記対象者の手の配置の視覚的識別及び音声式識別のうちの少なくとも１つを生成するステップを備える、請求項１１に記載の方法。
【請求項１５】
前記リアルタイムの個人に合わせた治療ガイダンスを生成するステップは、前記クラウドベースの電子健康記録からの前記対象者の物理的身体測定値に応じた、心電計（ＥＣＧ）データを取得するための前記対象者上のＥＣＧ電極の配置の視覚的識別及び音声式識別のうちの少なくとも１つを生成するステップ備える、請求項１１に記載の方法。
【請求項１６】
前記ユーザインターフェースは、拡張現実グラスを更に備え、前記方法は、
前記拡張現実グラスを介して、前記リアルタイムの個人に合わせた治療ガイダンスを、（ｉ）前記拡張現実グラスによって見た前記対象者の画像、及び（ｉｉ）前記対象者の物理的身体測定値の前記クラウドベースの電子健康記録に応じて、前記対象者への前記個人に合わせた治療の少なくとも一態様のための重畳ガイダンスとして提供するステップをさらに備える、
請求項１１に記載の方法。
【請求項１７】
前記重畳ガイダンスは、（ｉ）前記対象者の胸部における個人に合わせたＣＰＲ治療の場所の輪郭、（ｉｉ）前記対象者の胸部における個人に合わせた圧迫の深さ及び解放の実施を示す輪郭、及び（ｉｉｉ）前記対象者の胸部における個人に合わせた除細動電極の位置の輪郭のうちの少なくとも１つをさらに備える、請求項１６に記載の方法。
【請求項１８】
前記重畳ガイダンスは、前記対象者の上半身におけるＥＣＧ電極の個人に合わせた配置の輪郭をさらに備える、請求項１６に記載の方法。
【請求項１９】
前記ポータブル医療装置は、緊急用自動式体外式除細動器（ＡＥＤ）、緊急用ＣＰＲメトロノーム及び心電計（ＥＣＧ）モニタからなる群から選択されるものを少なくとも１つ備える、請求項１１に記載の方法。
【請求項２０】
請求項１１に記載の方法を実行するプロセッサによって実行可能な命令のコンピュータプログラムによって具現化される、非一時的コンピュータ読み取り可能媒体。
【発明の詳細な説明】
【技術分野】
【０００１】
[0001]  本実施形態は、概して、ポータブル医療装置に関し、より詳細には、身体測定値を有するオンライン記憶プロファイルに基づく個人に合わせた治療ガイダンスのためのポータブル医療装置、及びその方法に関する。
【背景技術】
【０００２】
[0002]  アメリカ心臓協会（ＡＨＡ：Ａｍｅｒｉｃａｎ  Ｈｅａｒｔ  Ａｓｓｏｃｉａｔｉｏｎ）及びヨーロッパ蘇生協議会（Ｅｕｒｏｐｅａｎ  Ｒｅｓｕｓｃｉｔａｔｉｏｎ  Ｃｏｕｎｃｉｌ）によって広められているように、心肺蘇生（ＣＰＲ：Ｃａｒｄｉｏ−Ｐｕｌｍｏｎａｒｙ  Ｒｅｓｕｓｃｉｔａｔｉｏｎ）の質は、突然の心臓停止（ＳＣＡ：Ｓｕｄｄｅｎ  Ｃａｒｄｉａｃ  Ａｒｒｅｓｔ）の場合に人の生命を救うために重要である。高質のＣＰＲを提供するためには、救助者が、正しい深さ（すなわち、犠牲者の胸部の圧迫）及び正しい速度（すなわち、圧迫の頻度）で行う必要がある。ガイドラインは、２インチの深さを推奨している。圧迫は身体内で血液を移動させて、生命維持に不可欠な臓器が酸素供給されている状態を保つ。加えて、適切な深さは、心臓を胸骨と脊柱との間に実質的にとどめ、血液を効果的に絞り出す。適切な深さで行われないと、ＣＰＲは不適切なものになってしまう。
【０００３】
[0003]  犠牲者の胸部に「適正な」深さの圧迫を施す際に救助者をガイドするいくつかのＣＰＲメトロノームが知られている。しかしながら、これらのものの欠点は、犠牲者の身体測定値にかかわらず、圧迫について一定の深さを想定していることである。図１は、ＺＯＬＬ（商標）ＰｏｃｋｅｔＣＰＲ（商標）として知られているＣＰＲメトロノームデバイス１０の画像図を図示する。ＣＰＲメトロノームデバイス１０は、その前面に、デバイスとＣＰＲを施している間の犠牲者の胸部におけるその配置とについてのイラストレーションを含む。図２は、Ｐｈｉｌｉｐｓ（商標）ＣＰＲメトロノームとして知られている別のＣＰＲメトロノームデバイス１２の画像図を図示する。図２のＣＰＲメトロノームデバイス１２は、その前面に、参照番号１４で示されるデバイスと、ＣＰＲを施している際の、参照番号１６で示される犠牲者の胸部におけるその配置とについてのイラストレーションを含む。図２のデバイス１２は、ＣＰＲパラメータ、例えば圧迫のタイミング、を示すように構成されたディスプレイ１８を更に含む。図３は、犠牲者の胸部２６におけるユーザ２４の手のおおよその配置の概略的な描写を含むＣＰＲアプリケーション２２を実行しているスマートフォン２０のスクリーン表示ビューである。しかしながら、現在知られているＣＰＲメトロノームは、痩せた人にも大柄な人にも同一の深さで圧迫を実施するように救助者をガイドしている。深さが浅すぎると効果がなく、深さが深すぎると、潜在的に、例えば、特には小児におけるＣＰＲ胸部圧迫の深さに関して、圧迫されている構造への損傷につながることがあるという点に問題がある。また、ＣＰＲ中に肋骨骨折が起こることも知られており、これは他の合併症を引き起こす。
【０００４】
[0004]  換言すれば、ＣＰＲを施す際の１つの問題は、深すぎる、又は浅すぎる胸部の圧迫の使用である。例えば、ＣＰＲ中に犠牲者の胸部が圧迫され過ぎると、犠牲者の胸郭が骨折することがある。骨折した胸郭は、治癒するまでに６週間から１２週間かかる。この期間の間、犠牲者は、呼吸するとき、笑うとき、咳をするとき、くしゃみをするとき及び／又は姿勢を変えるときに、激しい痛みを感じることがある。加えて、鋭く破断した肋骨が気胸症や肺の出血を引き起こすこともあり、息切れや激しい痛みにつながる。いくつかの重症例においては、骨折した胸郭は、肝臓、腎臓及び／又は脾臓に損傷を与えることさえある。
【０００５】
[0005]  ＣＰＲを施す際の別の問題は、胸部の不完全な解放である。圧迫の深さ、すなわち胸部を十分に深く圧迫することが重要である一方で、犠牲者の胸部への圧力を十分に解放することも重要である。ファーストレスポンダが彼の手を十分に持ち上げないと、犠牲者の胸部は圧迫されたままになり、心臓へのポンプ効果は減少する。
【０００６】
[0006]  緊急看護のためのＣＰＲに加えて、自動式体外式除細動器（ＡＥＤ：ａｕｔｏｍａｔｉｃ  ｅｘｔｅｒｎａｌ  ｄｅｆｉｂｒｉｌｌａｔｏｒ）も知られている。ＡＥＤを使用して、蘇生は、厳密で、時間重視のプロトコルに従って実施されなければならない。典型的には、緊急時における最初の数分が極めて重要であり、誰かがＡＥＤを持って到着するためには時間がかかるため、犠牲者の蘇生は、非公式の看護者（例えば、同僚、家族の一員、第三者）によって開始される。蘇生（すなわち、犠牲者の胸部へのポンプ動作であり、口対口式で代替される）を適正に機能させるために、非公式の看護者は、正しい深さ（すなわち、犠牲者の胸部の圧迫）及び正しい速度（すなわち、圧迫の頻度）で行う必要がある。
【０００７】
[0007]  更に、ＡＥＤによる除細動及び緊急看護に関連して、心臓が細動されているときに、心臓の筋肉の同期した収縮を無秩序な電気信号が阻害することにも留意されたい。ＡＥＤデバイスは、電気ショックを施すことによって心臓の電気信号を再び同期させることを補助し得る。このショックを施すために、２つの粘着性電極パッドが、一定の場所及び向きにおいて犠牲者の身体に位置付けられる必要がある。特には、電極パッドは、心臓を電極パッドの間に位置させつつ身体の斜め方向に沿って置かれる必要がある。成人した患者への最適な配置は、以下のようなものである。第１のパッドは犠牲者の右上胸部に装着され、次いで第２のパッドは左下側部に装着される。専門の看護者にとってはこれは簡単かもしれないが、非公式の看護者にとってはこれは注意を要する作業である。一部のＡＥＤは、非公式の看護者が電極パッド及びデバイスを適正に使用することを支援する段階を追った音声式インストラクション及び／又はイラストレーションを提供する。しかしながら、電極パッド自体に描かれたイラストレーションのみによってガイドされる非専門家にとっては、緊急看護を必要としている犠牲者の最適な場所にパッドを置くことは難しい。
【０００８】
[0008]  従って、ＣＰＲを施すことに関して上に論じられた問題に加えて、ＡＥＤを使用する際の一つの問題は、犠牲者に電極パッドが不適切に配置されることである。最適な除細動のためには、２つの電極パッドが犠牲者の身体に適正に配置されなければならない。医療の専門家は、乳首、へそ、肋骨のラインなどの身体の特徴に対してどのようにパッドを配置するかを知っている。しかしながら、非専門家のファーストレスポンダはこの情報を知っておらず、緊急的な状況において、製品がこの複雑な医療情報を伝えることは困難である。というのは、各電極パッドに描かれていることが通常見受けられるような２Ｄ図を、犠牲者の身体と関連付けることは難しいからである。
【０００９】
[0009]  図４を参照すると、参照番号３２及び３４によって示される、犠牲者の胸部３６における電極のおおよその配置のための概略的な描写を具備した表示をその上に有した、参照番号２８及び３０によって示される２つのＡＥＤ電極の例示的な図が示されている。換言すれば、図４は、パッドをどこに配置するべきかをファーストレスポンダに指示するための図を有する２つのＡＥＤ電極パッドを示す。緊急的な状況において、この汎用的な絵を、すぐ横にいる犠牲者と関連付けることは難しい場合がある。
【００１０】
[0010]  次に図５を参照すると、参照番号３８及び４０によって示される、スマートフォン上で動作する医療ＩＤ又は健康医療パスポートアプリケーションの２つのスクリーン表示ビューの例が示されている。医療ＩＤ又は健康医療パスポートアプリケーションは、ユーザについての医療情報をユーザのスマートフォン上に提供するユーザプロファイルの使用を含む（例えば、Ａｐｐｌｅ（商標）Ｈｅａｌｔｈ）。スクリーン表示ビュー３８に表されているように、医療情報は、緊急又は事故のときに重要となる、例えば、アレルギー及び医学的症状を含む。加えて、スマートフォン上の健康医療パスポートアプリケーションは、スマートフォンのロックを解除する必要なしにアクセス可能である。例示的なプロファイルが、スクリーン表示ビュー４０に図示されており、これは、ユーザの氏名、生年月日、医学的症状、医療留意事項、アレルギー及びその反応、投薬、並びに緊急時連絡先を含み得る。しかしながら、医療ＩＤ又は健康医療パスポートアプリケーション、及びユーザの医療情報は、ＳＣＡイベントに合わせて調整されていたり、ＳＣＡイベント専用のものであったりするわけではない。加えて、ユーザのスマートフォンが、緊急時又は事故時にすぐに入手又はアクセスが可能ではない場合もある。
【発明の概要】
【発明が解決しようとする課題】
【００１１】
[0011]  心臓停止中には一分一秒を争う。それ故、蘇生を開始するために必要となる時間を短縮することができ、それにより犠牲者の生存の可能性を向上させる、より進化したＡＥＤを提供することが望ましい。加えて、当技術分野における問題点を克服するための、改良された方法及び装置も望まれている。
【課題を解決するための手段】
【００１２】
[0012]  一態様によると、様々な身体測定値を有する対象者のためのリアルタイムの個人に合わせた治療ガイダンスのためのポータブル医療装置は、最適なＣＰＲを施す際に、犠牲者の身体的測定値を使用したＡＥＤの最善の使用を、ファーストレスポンダに有利にガイドする。圧迫の深さ及び解放についてのガイダンスを犠牲者の身体測定値に合わせて調整することによって、救助者は、犠牲者の胸郭を傷つける可能性を最小化しつつ、高品質なＣＰＲを施すことができる。犠牲者の関連する胸部の寸法を知ることによって、救助者が、犠牲者の身体の厳密に正しい場所に電極パッドを装着する見込みは向上し、その可能性も大きくなる。
【００１３】
[0013]  一実施形態によると、対象者のためのリアルタイムの個人に合わせた治療ガイダンスのためのポータブル医療装置は、ユーザインターフェースと、通信モジュールと、コントローラとを備える。ユーザインターフェースは、対象者の識別情報を取得するために構成される。通信モジュールは、（ｉ）少なくとも対象者の物理的身体測定値を備えるクラウドベースの電子健康記録を記憶しているリモートサーバ、（ｉｉ）ポータブル医療装置から所与の近接距離内に位置するスマートフォン、のうちの少なくとも１つと通信するために構成される。通信モジュールは更に、対象者の識別情報に応じて、リモートサーバ、又はリモートサーバと通信するスマートフォン若しくはリモートサーバと以前に通信したスマートフォンのうちの少なくとも１つを介して、クラウドベースの電子健康記録を取り出すために構成される。コントローラは、少なくともクラウドベースの電子健康記録からの対象者の物理的身体測定値に応じて、個人に合わせた治療を対象者に施すためにポータブル医療装置から所与の近接距離内にいるユーザが従うべきリアルタイムの個人に合わせた治療ガイダンスを生成するために構成される。リアルタイムの個人に合わせた治療ガイダンスは、ユーザ対話式の、患者に専用のガイダンスを更に備える。
【００１４】
[0014]  別の実施形態において、リアルタイムの個人に合わせた治療ガイダンスは、クラウドベースの電子健康記録からの対象者の物理的身体測定値に応じた、除細動ショックを施すための対象者上の除細動電極の配置の視覚的識別及び音声式識別のうちの少なくとも１つを備える。更なる実施形態において、リアルタイムの個人に合わせた治療ガイダンスは、クラウドベースの電子健康記録からの対象者の物理的身体測定値に応じた、ＣＰＲを施すための心肺蘇生（ＣＰＲ）支援デバイス又は対象者の手の配置の視覚的識別及び音声式識別のうちの少なくとも１つを備える。更に別の実施形態において、リアルタイムの個人に合わせた治療ガイダンスは、クラウドベースの電子健康記録からの対象者の物理的身体測定値に応じた、ＥＣＧデータを取得するための対象者上の心電計（ＥＣＧ）電極の配置の視覚的識別及び音声式識別のうちの少なくとも１つを備える。リアルタイムの個人に合わせたガイダンスを介して特定された配置は、所与の実施態様及び／又は応用例に適した、対象者における各電極の位置及び向きのうちの少なくとも１つを含む空間的ガイダンスを含む。本明細書において論じられる個人のオンライン健康記録に身体寸法及び測定値をアップロードすることに加えて、アップロードは、個人に合わせたＥＣＧセンサの配置をアップロードすることを更に含み得る。例えば、初めて患者がＥＣＧを受けるとき、医療スタッフ又は医師は、各ＥＣＧ電極の最適な配置を探す。患者のオンライン健康記録に個人に合わせて最適化された配置を記憶することで、その個人が将来ＥＣＧを受けるとき、特には緊急的な状況において、多くの時間を有利に節約できる。
【００１５】
[0015]  一実施形態において、ユーザインターフェースは、タッチスクリーンディスプレイ、光学的ディスプレイ、マイクロフォン、キーパッド、キーボード、ポインティングデバイス、画像キャプチャデバイス、ビデオカメラ、音声出力デバイス、及び入力／出力デバイスのうちの少なくとも１つを備える。ユーザインターフェースは更に、対象者の緊急治療の少なくとも一態様のために、リアルタイムの個人に合わせた又は患者に専用の治療ガイダンスの少なくとも一部を提供するように構成される。
【００１６】
[0016]  別の実施形態において、ユーザインターフェースは、拡張現実グラスを更に備え、これは、リアルタイムの個人に合わせた治療ガイダンスを、（ｉ）拡張現実グラスによって見た対象者の画像、及び（ｉｉ）対象者の物理的身体測定値のクラウドベースの電子健康記録に応じて、対象者への個人に合わせた治療の少なくとも一態様のための重畳ガイダンスとして提供するように構成される。重畳ガイダンスは、（ｉ）対象者の胸部における個人に合わせたＣＰＲ治療の場所の輪郭、（ｉｉ）対象者の胸部における個人に合わせた圧迫の深さ及び解放の実施を示す輪郭、及び（ｉｉｉ）対象者の胸部における個人に合わせた除細動電極の位置の輪郭のうちの少なくとも１つを備える。更に別の実施形態において、重畳ガイダンスは、対象者の上半身におけるＥＣＧ電極の個人に合わせた配置の輪郭を備える。本明細書において論じられるように、リアルタイムの個人に合わせたガイダンスは、所与の緊急的な状況、実施態様及び／又は応用例に適した、対象者におけるＣＰＲメトロノーム、１つ又は複数のＡＥＤパッド電極、及び／又は救助者の手の位置及び向きを含み得る空間的ガイダンスを含む。実施形態は、例えば、対象者の上への重畳又は輪郭を使用して、仮想現実グラスを通して見たときに対象者の上に空間的なガイダンスを示すことを更に含む。
【００１７】
[0017]  更に別の実施形態において、ポータブル医療装置は、緊急用自動式体外式除細動器（ＡＥＤ）、緊急用ＣＰＲメトロノーム及び心電計（ＥＣＧ）モニタからなる群から選択されるものを少なくとも１つ備える。
【００１８】
[0018]  一実施形態によると、ポータブル医療デバイスを使用した対象者のためのリアルタイムの個人に合わせた治療ガイダンスのための方法は、ユーザインターフェースを介して、対象者の識別情報を取得するステップと、通信モジュールを介して、（ｉ）少なくとも対象者の物理的身体測定値を備えるクラウドベースの電子健康記録を記憶しているリモートサーバ、（ｉｉ）医療デバイスから所与の近接距離内に位置するスマートフォン、のうちの少なくとも１つと通信するステップであって、対象者の識別情報に応じて、リモートサーバ、又はリモートサーバと通信するスマートフォン若しくはリモートサーバと以前に通信したスマートフォンのうちの少なくとも１つを介して、クラウドベースの電子健康記録を取り出すステップを更に含む、通信するステップと、コントローラを介して、個人に合わせた治療を対象者に施すためにポータブル医療デバイスから所与の近接距離内にいるユーザが従うべきリアルタイムの個人に合わせた治療ガイダンスを生成するステップであって、リアルタイムの個人に合わせた治療ガイダンスは、少なくともクラウドベースの電子健康記録からの対象者の物理的身体測定値に応じて生成される、生成するステップと、を有する。
【００１９】
[0019]  別の実施形態において、リアルタイムの個人に合わせた治療ガイダンスを生成するステップは、クラウドベースの電子健康記録からの対象者の物理的身体測定値に応じた、除細動ショックを施すための対象者上の除細動電極の配置の視覚的識別及び音声式識別のうちの少なくとも１つを生成するステップを含む。更なる実施形態において、リアルタイムの個人に合わせた治療ガイダンスを生成するステップは、クラウドベースの電子健康記録からの対象者の物理的身体測定値に応じた、ＣＰＲを施すための心肺蘇生（ＣＰＲ）支援デバイス又は対象者の手の配置の視覚的識別及び音声式識別のうちの少なくとも１つを生成するステップを含む。更に別の実施形態において、リアルタイムの個人に合わせた治療ガイダンスを生成するステップは、クラウドベースの電子健康記録からの対象者の物理的身体測定値に応じた、ＥＣＧデータを取得するための対象者上の心電計（ＥＣＧ）電極又はセンサの配置の視覚的識別及び音声式識別のうちの少なくとも１つを生成するステップを含む。
【００２０】
[0020]  一実施形態において、ユーザインターフェースを介して取得するステップは、タッチスクリーンディスプレイ、光学的ディスプレイ、マイクロフォン、キーパッド、キーボード、ポインティングデバイス、画像キャプチャデバイス、ビデオカメラ、音声出力デバイス、及び入力／出力デバイスのうちの少なくとも１つを介して取得するステップを含む。
【００２１】
[0021]  別の実施形態において、ユーザインターフェースは、拡張現実グラスを更に備え、方法は、拡張現実グラスを介して、リアルタイムの個人に合わせた治療ガイダンスを、（ｉ）拡張現実グラスによって見た対象者の画像、及び（ｉｉ）対象者の物理的身体測定値のクラウドベースの電子健康記録に応じて、対象者への個人に合わせた治療の少なくとも一態様のための重畳ガイダンスとして提供するステップを更に有する。重畳ガイダンスは、（ｉ）対象者の胸部における個人に合わせたＣＰＲ治療の場所の輪郭、（ｉｉ）対象者の胸部における個人に合わせた圧迫の深さ及び解放の実施を示す輪郭、及び（ｉｉｉ）対象者の胸部における個人に合わせた除細動電極の位置の輪郭のうちの少なくとも１つを更に備える。更に別の実施形態において、重畳ガイダンスは、対象者の上半身におけるＥＣＧ電極の個人に合わせた配置の輪郭を備える。
【００２２】
[0022]  更なる実施形態において、非一時的コンピュータ読み取り可能媒体は、本明細書において説明されるポータブル医療デバイスを使用した対象者のためのリアルタイムの個人に合わせた治療ガイダンスのための方法を実行するプロセッサによって実行可能な命令のコンピュータプログラムによって具現化される。
【００２３】
[0023]  なおも更なる利点及び利益
は、以下の詳細な説明を読み、理解すれば、当業者に明らかになるであろう。
【００２４】
[0024]  本発明の実施形態は、様々な構成要素及び構成要素の配置、並びに様々なステップ及びステップの配置の形態を取り得る。それ故、図面は、様々な実施形態を例示するためのものであり、実施形態を限定するものとして解釈されるべきではない。図面において、類似の参照番号は類似の要素を指す。加えて、図面は縮尺どおり描かれていない場合もあることに留意されたい。
【図面の簡単な説明】
【００２５】
【図１】[0025]  知られているＣＰＲメトロノームデバイスの画像図である。
【図２】[0026]  別の知られているＣＰＲメトロノームデバイスの画像図である。
【図３】[0027]  犠牲者の胸部におけるユーザの手のおおよその配置の概略的な描写を含むＣＰＲアプリケーションを実行しているスマートフォンのスクリーン表示ビューである。
【図４】[0028]  犠牲者の胸部における電極のおおよその配置のための概略的な描写を具備した表示をその上に有した２つのＡＥＤ電極の例示的な図である。
【図５】[0029]  スマートフォン上で動作する医療ＩＤ又は健康追跡アプリケーションの２つのスクリーン表示ビューを示す図である。
【図６】[0030]  本開示の実施形態による、ポータブル医療デバイスを使用した対象者のためのリアルタイムの個人に合わせた治療ガイダンスのための方法のフロー図である。
【図７】[0031]  本開示の実施形態による、対象者のためのリアルタイムの個人に合わせた治療ガイダンスのためのポータブル医療装置のブロック図である。
【図８】[0032]  本開示の実施形態による、対象者のためのリアルタイムの個人に合わせた治療ガイダンスのための、ユーザによって使用されているポータブル医療装置の画像図である。
【図９】[0033]  本開示の実施形態による、ＡＥＤ電極の個人に合わせた配置の概略的ガイダンスを含んだ、対象者のためのリアルタイムの個人に合わせた治療ガイダンスのための、ユーザによって使用されているポータブル医療装置の別の画像図である。
【図１０】[0034]  本開示の実施形態による、ＣＰＲのためのユーザの手による個人に合わせた圧迫の概略的ガイダンスを含んだ、対象者のためのリアルタイムの個人に合わせた治療ガイダンスのための、ユーザによって使用されているポータブル医療装置の別の画像図である。
【図１１】[0035]  本開示の実施形態による、ＣＰＲのためのユーザの手の個人に合わせた配置の概略的ガイダンスを含んだ、対象者のためのリアルタイムの個人に合わせた治療ガイダンスのための、ユーザによって使用されているポータブル医療装置の別の画像図である。
【図１２】[0036]  本開示の別の実施形態による、対象者のためのリアルタイムの個人に合わせた治療ガイダンスのためのポータブル医療装置のブロック図である。
【図１３】[0037]  本開示の実施形態による、対象者の身体への電極のおおよその配置のための概略的な描写を具備した表示をその上に有したポータブル医療装置のためのＥＣＧ誘導ユニットインターフェースボックスの画像図であり、インターフェースボックスは、対象者のためのリアルタイムの個人に合わせた治療ガイダンスの間の看護提供者による使用のための、電極又はセンサ（不図示）をその遠位端部に有するケーブル又は誘導線を更に有する、画像図である。
【図１４】[0038]  対象者の身体へのＥＣＧ電極配置の例示的な図である。
【図１５】[0039]  本開示の別の実施形態による、ポータブル医療デバイスを使用した対象者のためのリアルタイムの個人に合わせた治療ガイダンスのための方法のフロー図である。
【発明を実施するための形態】
【００２６】
[0040]  本開示の実施形態及びその様々な特徴及び有利な詳細は、図面において説明及び／又は示され、以下の説明において詳細が示される非限定的な実施例を参照してより完全に説明される。当業者が認識するであろうように、本明細書において明示的に述べられていなくても、図面において示される特徴は、必ずしも縮尺通りに描かれていないこと、及び一つの実施形態における特徴は他の実施形態とともに用いられてよいことに留意されたい。よく知られている構成要素及び処理技法の説明は、本開示の実施形態を不必要に不明瞭にすることがないように省略されることがある。本明細書において使用される実施例は、単に、本開示の実施形態が実践されるやり方の理解を促進し、更に当業者がこれを実践できるようにすることを意図されるものである。それ故、本明細書における実施例は、本開示の実施形態の範囲を限定するものと理解されるべきではなく、その範囲は添付の特許請求の範囲及び適用可能な法律によってのみ定められるものである。
【００２７】
[0041]  本開示の実施形態は変動し得るものであり、本明細書において説明される特定の手法、プロトコル、デバイス、装置、材料、アプリケーションなどに限定されるものではないことが理解される。本明細書において使用される用語は、特定の実施形態を説明することのみを目的として使用されるものであり、特許請求される実施形態の範囲の限定であると意図されるものではないことも理解されたい。本明細書及び添付の特許請求の範囲において使用されるとき、単数形の「ａ」「ａｎ」及び「ｔｈｅ」は、コンテキスト上そうでないことが明確に要求されない限り、複数の参照先を含むことが留意されなければならない。
【００２８】
[0042]  別に定められない限り、本明細書において使用される全ての技術的及び科学的用語は、本開示の実施形態が属する技術分野の当業者によって通常理解されるものと同一の意味を持つ。好ましい方法、デバイス、及び材料が説明されるが、本明細書において説明されるものと類似の又は同等の任意の方法及び材料が、実施形態の実践又は検査において使用され得る。
【００２９】
[0043]  本明細書において上に示されたように、一態様によると、様々な身体測定値を有する対象者のための、リアルタイムの個人に合わせた治療ガイダンスのためのポータブル医療装置が開示される。ポータブル医療デバイスは、最適なＣＰＲを施す際に、犠牲者の身体的測定値の使用を通じたＡＥＤの最善の使用を、ファーストレスポンダ又は救助者に有利にガイドする。圧迫の深さ及び解放についてのガイダンスを犠牲者の身体測定値に合わせて調整することによって、救助者は、犠牲者の胸郭を傷つける可能性を最小化しつつ、高品質なＣＰＲを施すことができる。犠牲者の関連する胸部の寸法を知ることによって、救助者が、犠牲者の身体の厳密に正しい場所に電極パッドを装着する見込みは向上し、その可能性も大きくなる。
【００３０】
[0044]  緊急時に、犠牲者の身体を測定することに関し、１つ又は複数の問題が起こる。理想的には、緊急時に、乳首、へそ、肋骨のラインなどの特徴の認識に基づいて、重要な身体的寸法を視覚的に見分け得る何らかの種類の（例えば、ヘッド装着式ディスプレイにおけるカメラを使用した）視覚システムを有することが望ましい。しかしながら、犠牲者には男性も女性もおり、部分的に除去された衣服、身体部位のたるみ、及び体毛により際立った特徴が隠されている実際の場面の複雑性を考えると、堅牢な自動認識を得ることは難しい。
【００３１】
[0045]  突然の心臓停止（ＳＣＡ）の場合に、心肺蘇生（ＣＰＲ）、すなわち犠牲者の胸部へのポンプ動作は、犠牲者の生命を救うために速やかに施される必要がある。除細動ショックは、自動式体外式除細動器（ＡＥＤ）が現場に到着したらすぐに施される必要がある。質の高いＣＰＲを施すために重要なことは、（ｉ）犠牲者の胸部の正しい場所（すなわち、胸骨）において押し下げること、及び（ｉｉ）犠牲者の胸部における適正な圧迫速度、深さ及び完全な解放を実施すること、である。質の高い除細動を施すために重要なことは、電極パッドの適正な位置決めである。押し下げること、適正な圧迫深さ及び解放を実施すること、及びＡＥＤの電極パッドを位置決めすることの３つの動作は、それらが犠牲者の身体測定値に依存するという点で共通している。
【００３２】
[0046]  一実施形態によると、ポータブル医療デバイス及び方法は、犠牲者の身体的測定値を含む個人用プロファイルのオンラインストレージへのアクセスを有利に使用する。緊急時において、このオンラインプロファイルは、ポータブル医療装置によってアクセスされる。ポータブル医療装置は、犠牲者に対して最適化されたＣＰＲガイダンスをファーストレスポンダに提供するために１つ又は複数の異なるデバイス（例えば、ガイダンスを提供するＣＰＲメトロノーム、ＣＰＲアプリケーション、拡張現実ヘッドセット）を含み得る。
【００３３】
[0047]  別の実施形態において、ポータブル医療デバイスは、クラウドベースの健康記録、より詳細には、最適化された緊急看護のために重要である身体寸法を含む個人のオンライン健康記録を活用する。緊急事態においては、身体的及び物理的な寸法情報は、ファーストレスポンダ又は救助者が緊急治療を施しながら推察する必要がないように犠牲者に合わせて調整されたガイダンスを提供するために、ポータブル医療デバイスによって有利にダウンロードされ得る。
【００３４】
[0048]  個人のオンライン健康記録又はクラウドベースの健康記録は、１つ又は複数種類の測定値、より詳細には、個人の身体的寸法の少なくともサブセットを含む。測定値及び／又は身体的寸法は、例えば、テープ測定を使用して又はより進化した方法を介して、例えば３Ｄ身体スキャナによって取得され得る。一実施形態によると、方法は、身体的測定値を固有の個人用オンラインプロファイルに記憶するステップを有する。方法は、緊急時に、彼／彼女のオンラインプロファイルから彼／彼女の身体測定値をダウンロードするために犠牲者を識別するステップを有する。方法は、緊急時に、例えばＣＰＲメトロノーム、又はヘッド装着式拡張現実（ＡＲ）ディスプレイなどのポータブル医療デバイスからファーストレスポンダ又は救助者に提供されるガイダンスを、ダウンロードされた犠牲者の身体測定値に基づいて、能動的に調節するステップを更に有する。
【００３５】
[0049]  次に図６を参照すると、本開示の実施形態による、ポータブル医療デバイスを使用した対象者のためのリアルタイムの個人に合わせた治療ガイダンスのための方法５０のフロー図が図示されている。方法は、５３において図解でも示されるように、対象者の重要な身体寸法を測定、例えば胸囲を測定する第１のステップ５２を有する。例えば、対象者の胸囲は９７ｃｍ（すなわち３８インチ）であり得る。第２のステップ５４は、５５において図解でも示されるように、対象者の測定された身体寸法を個人用プロファイルに入力するステップを含む。第３のステップ５６は、５７において図解でも示されるように、プロファイルをオンラインストレージ又はクラウドに記憶するステップを含む。第４のステップ５８は、５９において図解でも示されるように、犠牲者を識別し、ポータブル医療デバイス、例えばＣＰＲメトロノームに身体寸法データをインポートするステップを含む。第５のステップ６０において、６１において図解でも示されるように、方法は、犠牲者のプロファイルからの情報に基づいて、圧迫の深さのガイダンスを提供するステップを有する。例えば、圧迫の深さのガイダンスは、５ｃｍ（すなわち、約２．０インチ）である。
【００３６】
[0050]  第１の態様において、方法は、対象者の重要な身体寸法を測定するステップを有する。突然の心臓停止の虞のある心臓血管に疾患のある患者、しかしながら潜在的には全ての人は、彼ら／彼女らの身体的寸法を測定し、これらの寸法を個人用オンラインプロファイルに記憶する適切な許可を与え、緊急事態においては記憶された寸法を自動的にダウンロードすることを許容する必要がある。既に述べたように、身体的寸法は、単にテープ測定によって、又はより進化した方法を介して、例えば３Ｄ身体スキャナによって測定され得る。一実施形態において、物理的身体寸法は、開業医（ＧＰ：ｇｅｎｅｒａｌ  ｐｒａｃｔｉｔｉｏｎｅｒ）によって、ヘルスセンターにおいて、又は病院の検査室において測定及び／又は取得され得る。
【００３７】
[0051]  本開示の実施形態によると、少なくとも（ｉ）胸部の深さ、（ｉｉ）両目から胸骨までの距離、及び（ｉｉｉ）顔に対するＡＥＤ電極の最適な相対的位置、を含む身体的寸法へのアクセスは、最適なＣＰＲ及び／又は他の緊急治療の提供において犠牲者に合わせて調整されたガイダンスを提供するためにポータブル医療デバイスによって有利に使用される。胸部の深さに関しては、これは胸骨の上部から脊柱の下部の寸法に対応するものであるが、犠牲者に合わせて調整されたガイダンスは、本明細書において更に論じられるようにファーストレスポンダ又は救助者に、ポータブル医療デバイスの適切な手段を介して、最適な胸部の圧迫の深さ（例えば、より痩せた人に対してはより少ない圧迫、より太った人に対してはより深い圧迫）を提供することを含む。加えて、両目から胸骨までの距離に関しては、犠牲者に合わせて調整されたガイダンスは、ファーストレスポンダ又は救助者に、ポータブル医療デバイスの適切な手段を介して、例えば、本明細書において更に論じられるように拡張現実重畳を通じて、最適なＣＰＲのために彼又は彼女の手をどこに置くべきかを提供することを含む。顔は現在のところ最も容易にコンピュータ視覚システムが検知できる身体部位であり、従って、有用な基準ポイントとなる。更には、顔に対するＡＥＤ電極の最適な相対的位置に関しては、すなわち２次元的であろうが又は３次元的であろうが、犠牲者に合わせて調整されたガイダンスは、ファーストレスポンダ又は救助者に、ポータブル医療デバイスの適切な手段を介して、例えば、本明細書において更に論じられるように拡張現実重畳を通じて、ファーストレスポンダ又は救助者に最適な除細動のために彼又は彼女が粘着性電極パッドをどこに配置すべきかの表示を提供することを含む。
【００３８】
[0052]  第２の態様において、方法は、固有の個人用オンラインプロファイルに身体測定値を記憶するステップを有する。上述した身体的寸法は、好ましくは、患者及び看護提供者がアクセス可能なプロファイルに記憶される。このプロファイルは、（ｉ）ＳＣＡ緊急時のために特別にセットアップされたデータベース，（ｉｉ）患者のスマートフォン上の健康追跡アプリケーションにおけるプロファイル、及び（ｉｉｉ）個人の電子患者記録（ＥＰＲ：Ｅｌｅｃｔｒｏｎｉｃ  Ｐａｔｉｅｎｔ  Ｒｅｃｏｒｄ）のうちの少なくとも１つの一部である。本明細書において上に論じられたように、図５は、スマートフォン上で動作する医療ＩＤ又は健康医療パスポートアプリケーションの２つのスクリーン表示ビューの例を示す。スマートフォン上の健康医療パスポートアプリケーションは、スマートフォンのロックを解除する必要なしにアクセス可能である。一実施形態によると、このような健康医療パスポートアプリケーションは、ＳＣＡに関連した身体寸法も含む。
【００３９】
[0053]  第３の態様において、方法は、緊急的な状況において犠牲者を識別するステップを有する。犠牲者の身体測定値をダウンロードするために、先ず犠牲者が識別される。本開示の一実施形態によると、方法及びポータブル医療デバイス装置は、顔認識を実行すること、及び犠牲者によって携行されるＩＤ情報を取得することのうちの１つ又は複数を介して犠牲者を識別するように構成されたスマートフォン、ＣＰＲメトロノーム、及びヘッド装着式デバイス（例えば、Ｇｏｏｇｌｅ（商標）グラス、又は拡張現実（ＡＲ）グラス）のうちの少なくとも１つの使用を有利に組み込んでいる。顔認識に関連して、方法及びポータブル医療デバイスは、オンライデータベースを通じて、犠牲者の顔に一致する顔を持つ記録を検索するアプリケーションを含む。犠牲者によって携行されるＩＤ情報を取得することについては、方法及びポータブル医療デバイスは、ＩＤ番号、ＱＲコード（登録商標）、又は近距離無線通信（ＮＦＣ：ｎｅａｒ−ｆｉｅｌｄ  ｃｏｍｍｕｎｉｃａｔｉｏｎ）チップのうちの１つ又は複数を活用する。犠牲者は、このような情報を、医療情報を有するタグ上に（例えば、ネックレス、ブレスレット）、彼又は彼女のスマートフォン上に（例えば、ファーストレスポンダがアクセスコードを必要としないように「アンロック」スクリーン上に）、インプラントとして、又は刺青として、携行することもできる。有利には、刺青は識別のための手段として機能するだけでなく、犠牲者の身体上の基準マーカー、例えば既知の原点ポイントとしても機能する。方法は、ファーストレスポンダが以下のこと、すなわち、入力／出力デバイスを介してポータブル医療デバイスにＩＤ番号を入力すること、カメラベースのデバイスを介してＱＲコード（登録商標）を撮影すること、及びＮＦＣチップをスキャンすることのうちの１つ又は複数を行ったことに応じて、ポータブル医療デバイスを介して動作するステップを有する。
【００４０】
[0054]  第４の態様において、方法は、ポータブル医療デバイスによって提供される犠牲者に合わせて調整されたガイダンスを調節するステップを有する。特には、方法は、オンラインプロファイルから取得された犠牲者の身体寸法に基づいて、犠牲者に合わせて調整されたガイダンスを調節するステップを有し、取得された身体寸法に応じて、ポータブル医療デバイスは、自身が緊急時に治療のために提供する犠牲者に合わせて調整されたガイダンスを調節する。本開示の実施形態によると、方法及びポータブル医療デバイスは、（ｉ）加速度計ベースのＣＰＲメトロノーム、（ｉｉ）加速度計を備えるとともにＣＰＲアプリケーションを有するスマートフォン、及び（ｉｉｉ）ヘッド装着式拡張現実ヘッドセットのうちの１つ又は複数を含む。
【００４１】
[0055]  次に図７を参照すると、本開示の実施形態による対象者のためのリアルタイムの個人に合わせた治療ガイダンスのためのポータブル医療装置７０のブロック図が図示されている。ポータブル医療装置７０は、ユーザインターフェース７２と、通信モジュール７４と、コントローラ７６とを少なくとも備える。一実施形態において、ユーザインターフェース７２は少なくとも、対象者の識別情報を取得するために構成される。ユーザインターフェース７２は、本明細書において更に論じられるように、緊急時における所与の治療に関連した使用のために、少なくともコントローラ７６に信号線８８を介して動作可能に結合される任意の適切なユーザインターフェースを備え得る。例えば、ユーザインターフェース７２は、所与のポータブル医療デバイスの実施態様及び／又は応用例の要件に従い必要に応じて決定された、入力／出力デバイス、触覚式出力デバイス、タッチスクリーン、光学的ディスプレイ、マイクロフォン、キーパッド、キーボード、ポインティングデバイス、画像キャプチャデバイス、ビデオカメラ、音声出力デバイス、及びこれらの任意の組み合わせからなる群から選択されるものを少なくとも１つを備え得る。
【００４２】
[0056]  通信モジュール７４は、（ｉ）少なくとも対象者の物理的身体測定値を備えるクラウドベースの電子健康記録を記憶しているリモートサーバ７８（すなわち本明細書においてクラウドとも称されるもの）、（ｉｉ）ポータブル医療装置から所与の近接距離内に位置するスマートフォン８０、のうちの少なくとも１つと通信するために構成される。通信モジュール７４は更に、対象者の識別情報に応じて、リモートサーバ７８、又はリモートサーバと通信するスマートフォン８０のうちの少なくとも１つを介して、リモートサーバ７８に記憶された（すなわちクラウドに記憶された）クラウドベースの電子健康記録を取り出すために構成される。
【００４３】
[0057]  ポータブル医療デバイス７０の通信モジュール７４とクラウド７８との間の通信は参照番号８２によって示される。ポータブル医療デバイス７０の通信モジュール７４とスマートフォン８０との間の通信は参照番号８４によって示される。最後に、スマートフォン８０とクラウド７８との間の通信は参照番号８６によって示される。本明細書において論じられる様々なデバイスと構成要素との間の通信は、好ましくは、当技術分野において知られている適切な技術を使用して達成され、従って本明細書において更には論じられない。
【００４４】
[0058]  コントローラ７６は、ユーザインターフェース７２及び通信モジュール７４に、参照番号８８で示される適切な信号線を介して、動作可能に結合する。コントローラ７６は、少なくともクラウドベースの電子健康記録からの対象者の物理的身体測定値に応じて、個人に合わせた治療を対象者に施すためにポータブル医療装置７０から所与の近接距離内にいるユーザが従うべきリアルタイムの個人に合わせた治療ガイダンスを生成するために構成される。一実施形態において、コントローラ７６は、本明細書において論じられる様々な機能を実行するために、所与のポータブル医療デバイスの実施態様及び／又は応用例の要件に更に従い、マイクロプロセッサ、マイクロコントローラ、フィールドプログラマブルゲートアレイ（ＦＰＧＡ）、集積回路、別個のアナログ又はデジタル回路構成要素、ハードウェア、ソフトウェア、ファームウェア、又はこれらの任意の組み合わせのうちの１つ又は複数を備える。コントローラ７６は、本明細書において論じられる様々なモジュールのうちの１つ又は複数を更に備え得る。コントローラ７６に関する追加的な詳細は、図面を参照して、本明細書において後に提供される。
【００４５】
[0059]  なおも図７を参照すると、ポータブル医療装置７０は、ＯＮ／ＯＦＦスイッチ９０、ケース開放センサ９２、音声スピーカ９４、バッテリ９６、エネルギー源９８、メモリ１００、ショックボタン１０２（例えば、ＡＥＤパッド電極を介してショックを施すことを開始するため）、及びＧＰＳモジュール１０４のうちの１つ又は複数を更に備え得る。ＯＮ／ＯＦＦスイッチ９０、ケース開放センサ９２、音声スピーカ９４、バッテリ９６、エネルギー源９８、メモリ１００、ショックボタン１０２、及びＧＰＳモジュール１０４のうちの１つ又は複数の各々は、少なくともコントローラ７６に、例えば信号線８８を介して、動作可能に結合される。ＯＮ／ＯＦＦスイッチ９０は、ＯＮとＯＦＦとの間でポータブル医療装置７０に電力供給するための任意の適切なスイッチを備える。ケース開放センサ９２は、例えばポータブル医療装置のためのスタートアップシーケンスの開始の一部としてポータブル医療装置７０のケース又は筐体が開放されたことを感知するための任意の適切なセンサを備える。音声スピーカ９４は、所与の実施態様及び／又はポータブル医療デバイスの応用例のための任意の適切なスピーカを備え得る。
【００４６】
[0060]  一実施形態において、バッテリ９６は、所与のポータブル医療デバイスの実施態様及び／又は応用例のための任意の適切な電力源又は電力供給装置を備え得る。加えて、エネルギー源９８は、所与のポータブル医療デバイスの実施態様及び／又は応用例のための任意の適切な電力源又は電力供給装置を備え得る。例えば、ＡＥＤデバイスを備えるポータブル医療デバイスのために、電力源９８は、再充電可能な電力源を備え得る。電力源９８は、ポータブル医療デバイス７０の外部にある供給源を介した、又は非−再充電可能電力源からの電力供給装置も備え得る。更には、メモリ１００は、少なくともコントローラ７６に動作可能に結合された、少なくともそこに情報を記憶するための、更には、少なくともそこから後に情報を取り出すための、任意の適切なメモリデバイスを備え得る。
【００４７】
[0061]  グローバルポジショニングシステムモジュール１０４は、ポータブル緊急医療装置７０のグローバル位置を判定するために構成された任意の適切なＧＰＳモジュールを備える。コントローラ７６は更に、ポータブル緊急医療装置７０のグローバル位置及びスマートフォン８０のグローバル位置に基づいて、スマートフォンがポータブル緊急医療装置から所与の近接距離内に位置することを判定するために構成される。
【００４８】
[0062]  ポータブル医療装置７０は、ポータブル医療デバイス７０がＡＥＤデバイスとして使用される間に電気ショックを施すための、エネルギー源９８に動作可能に結合された一対のＡＥＤパッド電極１０６、１０８を更に備え得る。ポータブル医療装置７０は、例えば緊急治療時にＡＥＤ及び／又はＣＰＲを実行する際にファーストレスポンダ又は救助者によって装着される一対の拡張現実グラス１１０を更に備え得る。拡張現実グラス１１０は、適切な通信リンク１１２（例えば、近距離無線通信（ＮＦＣ）、Ｂｌｕｅｔｏｏｔｈ（登録商標）、又は他の適切な近距離通信リンク）を介してポータブル医療装置７０の通信モジュール７４に動作可能に結合される。更になお、ポータブル医療装置７０は、緊急治療時にＣＰＲを実行する際にファーストレスポンダ又は救助者によって使用されるＣＰＲメトロノーム１１４を備え得る。ＣＰＲメトロノームは、適切な通信リンク１１６（例えば、近距離無線通信（ＮＦＣ）、Ｂｌｕｅｔｏｏｔｈ（登録商標）、又は他の適切な近距離通信リンク）を介してポータブル医療装置７０の通信モジュール７４に動作可能に結合される。
【００４９】
[0063]  次に図６及び図７を参照すると、一実施形態において、ＣＰＲメトロノーム１１４は、加速度計ベースのＣＰＲメトロノームを備える。ＣＰＲメトロノームは、図６に示され、参照番号６０及び６１で示されるように、どの程度深く押すべきかについて胸部の深さを考慮に入れてファーストレスポンダをガイドするように構成される。特には、ポータブル医療デバイス７０は、本明細書において論じられるように、犠牲者のクラウドベースの医療記録にアクセスし、前もって測られた胸部測定値を犠牲者のオンライン記録から取得又はダウンロードし、緊急治療時のファーストレスポンダ又は救助者へのリアルタイムの治療ガイダンスにおいて、ユーザインターフェース７２を更に介して、例えばディスプレイ上の情報又は音声ガイダンスを通じて提供される犠牲者の胸部の深さが、ＣＰＲを施すためにＣＰＲメトロノーム１１４が使用されるときに考慮されるようにする。別の実施形態において、ＣＰＲメトロノーム１１４は、加速度計を備えるとともにＣＰＲアプリケーションを有するスマートフォンを備え得、これはディスプレイ上の情報又は音声ガイダンスを通じて、どの程度深く押すべきかについて胸部の深さを考慮に入れてファーストレスポンダをガイドする。上記においては加速度計ベースのメトロノームデバイスに言及しているが、そのようなデバイスは必ずしも常に加速度計ベースでなくてもよいことに留意されたい。基本的には、メトロノームデバイスは身体に対する深さを認識する。それ故、別の実施形態において、拡張現実グラスが、加速度計以外の他の手段によって、例えばコンピュータ視覚を使用して、ＣＰＲメトロノームの位置を定めるために使用され得る。
【００５０】
[0064]  次に図７及び図８を参照すると、一実施形態において、拡張現実グラス１１０は、ヘッド装着式拡張現実ヘッドセットを備え得る。ヘッド装着式拡張現実グラスは、犠牲者１２０の緊急処置又は治療の間に身体測定値を考慮に入れてファーストレスポンダ又は救助者１１８をガイドするように構成される。例えば、ポータブル医療デバイス７０は、本明細書において論じられるように、犠牲者のクラウドベースの医療記録にアクセスし、前もって測られた胸部測定値を犠牲者のオンライン記録から取得、すなわちダウンロードし、緊急治療時のファーストレスポンダ又は救助者１１８へのリアルタイムの治療ガイダンスにおいて提供される犠牲者の胸部の深さが、ＣＰＲを施すためにヘッド装着式拡張現実ヘッドセット１１０及びＣＰＲメトロノーム１１４が使用されるときに考慮されるようにする。換言すれば、リアルタイムの治療ガイダンスは、胸部の深さを考慮に入れて、どの程度深く押すべきかについてファーストレスポンダをガイドする。
【００５１】
[0065]  次に図７、図８及び図９を参照すると、一実施形態において、ヘッド装着式拡張現実グラス１１０は、犠牲者の顔を検知し、更に、犠牲者の身体寸法を考慮に入れて、緊急治療、すなわちＡＥＤのための犠牲者の胸部におけるＡＥＤ電極パッド１０６及び１０８の各々を適用する最適な場所及び向きを救助者１１８に指し示すように構成される。例えば、ポータブル医療デバイス７０は、本明細書において論じられるように、犠牲者のクラウドベースの医療記録にアクセスし、前もって測られた身体的測定値を犠牲者のオンライン記録から取得、すなわちダウンロードする。それ故、ヘッド装着式拡張現実ヘッドセット１１０は、緊急治療時のファーストレスポンダ又は救助者１１８へのリアルタイムの治療ガイダンスにおいて提供される犠牲者の身体的測定値を考慮に入れたＡＥＤを施すためのＡＥＤパッド電極の配置をガイドするために使用される。この実施形態において、ヘッド装着式拡張現実ヘッドセット１１０は、前もって測られた犠牲者の身体的測定値に基づいてファーストレスポンダが各ＡＥＤパッド電極を置くべき正確な場所及び向きを指し示す。換言すれば、ヘッド装着式拡張現実グラス１１０は、救助者がグラス１１０を通して見る破線の輪郭の仮想的重畳１２２及び１２４（図９）を通じて、ファーストレスポンダがＡＥＤ電極１０８及び１０６をそれぞれ配置するべき犠牲者の胸部における正確な位置及び向きを示すように構成される。
【００５２】
[0066]  次に図７、図８及び図１０を参照すると、一実施形態において、ヘッド装着式拡張現実ヘッドセット１１０は、犠牲者の顔を検知し、両目−胸骨間の距離を考慮に入れて、緊急治療時にファーストレスポンダ１１８が、犠牲者１２０の胸部において、どこに彼又は彼女の手を置き、圧力をかけるべきかを示すように構成される。例えば、ポータブル医療デバイス７０は、本明細書において論じられるように、犠牲者のクラウドベースの医療記録にアクセスし、前もって測られた両目から胸骨までの距離の測定値を犠牲者のオンライン記録から取得、すなわちダウンロードする。それ故、ヘッド装着式拡張現実ヘッドセット１１０は、緊急治療時のファーストレスポンダ又は救助者１１８へのリアルタイムの治療ガイダンスにおいて提供される犠牲者の両目−胸骨間の距離を考慮に入れたＣＰＲを施すためのユーザの手の配置をガイドするために使用される。この実施形態において、ヘッド装着式拡張現実ヘッドセット１１０は、前もって測られた両目から胸骨までの距離の測定値に基づいてファーストレスポンダが彼又は彼女の手を置くべき正確な位置を指し示す。換言すれば、ヘッド装着式拡張現実グラス１１０は、救助者がグラス１１０を通して見る仮想的重畳１２６（図１０）を通じて、ファーストレスポンダが彼又は彼女の手を置くべき犠牲者の胸部における正確な位置を示すように構成される。
【００５３】
[0067]  図７、図８及び図１１を参照すると、一実施形態において、ヘッド装着式拡張現実グラス１１０は、救助者がグラス１１０を通して見るアニメーション化された仮想的重畳１２８を通じて、緊急治療時、すなわちＣＰＲ中に救助者１１８が犠牲者の胸部をどの程度深く押すべきかを示すように構成される。加えて、重畳１２８における外側及び内側リングのうちの１つ又は複数が、メトロノームの形態を有し得、すなわち、それは手の最適な配置についてユーザをガイドするだけでなく、最適な圧迫のリズム／速度をアニメーションによって示す。圧迫のリズム／速度は、例えば、圧迫／分の所与の数を有する。これらの設定は、特定の犠牲者に最適なリアルタイムの個人に合わせた治療ガイダンスを含み、これは視覚的表示を調節するための基礎となる。加えて、リアルタイムの個人に合わせた治療ガイダンスは、ＣＰＲメトロノーム１１４又は除細動器によって出される可聴式及び／又は視覚的ユーザプロンプトに提供される。
【００５４】
[0068]  更に別の実施形態において、ＣＰＲメトロノーム１１４は、救助者１１８が両目−「ＣＰＲデバイス」間の距離を、クラウドベースの電子健康記録に含まれる最適な両目−胸骨間の距離と比較することを可能にする物理的測定ツールも含んでよい。そのような比較は、図１０に図示されている手の配置と同様に、ファーストレスポンダ又は救助者１１８が彼又は彼女の手を犠牲者の胸部のどこに置き、圧力をかけるべきかを示すために、リアルタイムの治療ガイダンスとともに使用され得る。
【００５５】
[0069]  図１２を参照すると、本開示の別の実施形態による対象者のためのリアルタイムの個人に合わせた治療ガイダンスのためのポータブル医療装置７０のブロック図が図示されている。ポータブル医療装置７０は、以下の相違点を除いては、図７に図示されているものと同様である。ポータブル医療装置は、ＡＥＤを実行するための構成要素を含まない。加えて、ＣＰＲメトロノーム１１４は、有線接続１１６を介してポータブル医療装置に動作可能に結合される。更には、リアルタイムの治療ガイダンスのための図１２のポータブル医療装置７０の動作は、ＣＰＲ緊急治療に関連して本明細書において既に論じられたものと同様である。
【００５６】
[0070]  次に図１３を参照すると、本明細書において論じられる実施形態と同様に、対象者の身体への電極のおおよその配置のための概略的な描写１３２を具備した表示をその上に有した、ポータブル医療装置のためのＥＣＧ誘導ユニットインターフェースボックス１３０の画像図が示されている。インターフェースボックス１３０は、ポータブル医療装置と動作可能に結合するための第１のケーブル１３４を含み、更には、参照番号１３６及び１３８によって全体的に示される、本開示の実施形態による対象者のためのリアルタイムの個人に合わせた治療ガイダンスのための看護提供者による使用のための電極パッド（不図示）をその遠位端部に備えたケーブルを有する。インターフェースボックス１３０の概略的な描写１３２は、それ自体では、すなわち、本開示の実施形態に従って提供されるリアルタイムの治療ガイダンスがないと、対象者に電極を配置する看護提供者を混乱させるかもしれない。
【００５７】
[0071]  図１３のＥＣＧ誘導ユニットインターフェースボックス１３０に関連して、及び図１４を追加的に参照すると、全体として参照番号１４０で示される、対象者の身体におけるＥＣＧ電極の配置の例示的な図が図示されている。リアルタイムの治療ガイダンスがなかったとするとＥＣＧ電極の配置は間違いやすいものになることは容易に理解される。図１４に示されるように、１つの電極１４２（電極ＬＡとも称される）は、対象者の左腕の肩と肘との間に配置されるものであり、別の電極１４４（電極ＲＡとも称される）は、対象者の右腕の肩と肘との間に配置されるものであり、参照番号１４６によってまとめて示される６つの電極（Ｖ１、Ｖ２、Ｖ３、Ｖ４、Ｖ５、及びＶ６）は、対象者の胸郭の周りに個別に配置されるものである。２つの更なる電極（ＲＬ及びＬＬとも称され、図示はされていない）は、対象者の大腿において、足首よりも上、胴よりも下に配置されるものである。
【００５８】
[0072]  本開示の実施形態は、ＥＣＧに関連する電極の誤配置及び電極の逆配置（ｒｅｖｅｒｓａｌ）の潜在的な問題を、有利に除去し、及び／又は著しく減少させる。電極の誤配置に関しては、本開示の実施形態によるリアルタイムの治療ガイダンスがない場合、５０％にも及ぶ事例において、Ｖ１及びＶ２電極が上過ぎる場所に配置され、これは前壁心筋梗塞（ＭＩ：ｍｙｏｃａｒｄｉａｌ  ｉｎｆａｒｃｔｉｏｎ）を擬態することがあり、Ｔ波反転（ｉｎｖｅｒｓｉｏｎ）（すなわち、Ｔ波が心臓の心室の再分極（又は回復）を表す負のＴ波）を引き起こす。加えて、３３％にも及ぶ事例において、前胸部の電極（Ｖ１からＶ６）が下方に又は側方に誤配置され、これは振幅を変化させることがあり、誤診につながる。電極の逆配置に関しては、本開示の実施形態によるリアルタイムの治療ガイダンスがない場合、以下のような事態が起こり得る：ＲＡ／ＬＡの逆配置−誘導Ｉが反転（ｉｎｖｅｒｔｅｄ）され、誘導ＩＩとＩＩＩとが逆になり、ａＶＲとａＶＬとが逆になる；ＲＡ／ＬＡの逆配置−誘導ＩＩが孤立性の心停止（ｉｓｏｌａｔｅｄ  ａｓｙｓｔｏｌｅ）を示し、ａＶＦ及びａＶＲが同一である；及び、ＬＡ／ＬＬの逆配置−誘導ＩＩＩが反転され、ａＶＬとａＶＦとが逆になる。ＥＣＧ誘導は、２つの電気的平面にグループ分けされる。前方の誘導（誘導Ｉから誘導ＩＩＩ、ａＶＲからａＶＦ）は、心臓を垂直平面から眺め、横方向の誘導（Ｖ１からＶ６）は心臓を水平平面から眺める。本明細書においてＥＣＧに関して使用されるとき、誘導は、身体を横切る特定の角度から心臓の電気的活動を眺めたものである。換言すれば、誘導は、一群の電極によってキャプチャされた画像である。
【００５９】
[0073]  次に図１５を参照すると、別の実施形態による、ポータブル医療デバイスを使用した対象者のためのリアルタイムの個人に合わせた治療ガイダンスのための方法１５０のフロー図が図示されている。図１５に図示される方法のいくつかの態様は、本明細書において図６を参照して論じられたものと同様のもの、及び／又はそれに追加されるものである。方法１５０は、ユーザインターフェースを介して、対象者の識別情報を取得するステップ１５２と、通信モジュールを介して、（ｉ）少なくとも対象者の物理的身体測定値を備えるクラウドベースの電子健康記録を記憶しているリモートサーバ、（ｉｉ）医療デバイスから所与の近接距離内に位置するスマートフォン、のうちの少なくとも１つと通信するステップ１５４であって、対象者の識別情報に応じて、リモートサーバ、又はリモートサーバと通信するスマートフォン若しくはリモートサーバと以前に通信したスマートフォンのうちの少なくとも１つを介して、クラウドベースの電子健康記録を取り出すステップを更に含む、通信するステップ１５４と、コントローラを介して、個人に合わせた治療を対象者に施すためにポータブル医療デバイスから所与の近接距離内にいるユーザが従うべきリアルタイムの個人に合わせた治療ガイダンスを生成するステップ１５６であって、リアルタイムの個人に合わせた治療ガイダンスは、少なくともクラウドベースの電子健康記録からの対象者の物理的身体測定値に応じて、特定の対象者のために生成、修正及び／又は最適化される、生成するステップ１５６と、を有する。
【００６０】
[0074]  別の実施形態において、リアルタイムの個人に合わせた治療ガイダンスを生成するステップ１５６は、クラウドベースの電子健康記録からの対象者の物理的身体測定値に応じた、除細動ショックを施すための対象者上の除細動電極の配置の視覚的識別及び音声式識別のうちの少なくとも１つを生成するステップを含む。更なる実施形態において、リアルタイムの個人に合わせた治療ガイダンスを生成するステップ１５６は、クラウドベースの電子健康記録からの対象者の物理的身体測定値に応じた、ＣＰＲを施すための心肺蘇生（ＣＰＲ）支援デバイス又は対象者の手の配置の視覚的識別及び音声式識別のうちの少なくとも１つを生成するステップを含む。更に別の実施形態において、リアルタイムの個人に合わせた治療ガイダンスを生成するステップ１５６は、クラウドベースの電子健康記録からの対象者の物理的身体測定値に応じた、ＥＣＧデータを取得するための対象者上の心電計（ＥＣＧ）電極又はセンサの配置の視覚的識別及び音声式識別のうちの少なくとも１つを生成するステップを含む。
【００６１】
[0075]  一実施形態において、ユーザインターフェースを介して取得するステップ１５２は、タッチスクリーンディスプレイ、光学的ディスプレイ、マイクロフォン、キーパッド、キーボード、ポインティングデバイス、画像キャプチャデバイス、ビデオカメラ、音声出力デバイス、及び入力／出力デバイスのうちの少なくとも１つを介して取得するステップを含む。
【００６２】
[0076]  別の実施形態において、ユーザインターフェースは、拡張現実グラスを更に備え、方法は、拡張現実グラスを介して、リアルタイムの個人に合わせた治療ガイダンスを、（ｉ）拡張現実グラスによって見た対象者の画像、及び（ｉｉ）対象者の物理的身体測定値のクラウドベースの電子健康記録に応じて、対象者への個人に合わせた治療の少なくとも一態様のための重畳ガイダンスとして提供するステップ１５８を更に有する。重畳ガイダンスは、（ｉ）対象者の胸部における個人に合わせたＣＰＲ治療の場所の輪郭、（ｉｉ）対象者の胸部における個人に合わせた圧迫の深さ及び解放の実施を示す輪郭、及び（ｉｉｉ）対象者の胸部における個人に合わせた除細動電極の位置の輪郭のうちの少なくとも１つを更に備える。更に別の実施形態において、重畳ガイダンスは、対象者の上半身におけるＥＣＧ電極の個人に合わせた配置の輪郭を備える。
【００６３】
[0077]  本開示の別の実施形態によると、ガイダンスを提供するポータブル医療デバイスは、犠牲者の身体的寸法に基づいて、その圧迫の深さのガイダンスの設定を能動的に調節し、身体的寸法は、オンラインの又はクラウドベースの個人用プロファイルを介して取得される。別の実施形態において、ポータブル医療デバイスは、オンライン個人用プロファイルを取得するためにインターネットに接続し、異なる身体測定値を有する個人によって異なる治療ガイダンスを提供する。
【００６４】
[0078]  本開示の実施形態は、心肺蘇生（ＣＰＲ）スマートフォンアプリケーション、緊急看護のための拡張現実システム、ＣＰＲメトロノーム、及び自動式体外式除細動器（ＡＥＤ）などに適用可能である。
【００６５】
[0079]  いくつかの例示的な実施形態のみが上記に詳細に説明されたが、本開示の実施形態の新規な教示及び利点から実質的に逸脱することなく、例示的な実施形態において多くの修正が可能であることを、当業者は容易に理解されよう。例えば、本開示の実施形態は、非−緊急的な用途、例えば、心電図（ＥＣＧ）を取得するための心電計において有利に使用され得る。それ故、全てのそのような修正は、以下の特許請求の範囲によって規定される本開示の実施形態の範囲内に含まれることが意図される。特許請求の範囲において、ミーンズプラスファンクション（ｍｅａｎｓ−ｐｌｕｓ−ｆｕｎｃｔｉｏｎ）節は、列記された機能を実行するものとして本明細書において説明された構造をカバーすることを意図され、構造的均等物だけでなく均等な構造物もカバーすることを意図される。
【００６６】
[0080]  加えて、１つ又は複数の請求項において括弧の中に置かれている任意の参照符号は、特許請求の範囲を限定するものと解釈されるべきではない。「備える、有する、含む（ｃｏｍｐｒｉｓｉｎｇ、及びｃｏｎｐｒｉｓｅｓ）」などの語は、任意の請求項又は明細書全体において記載されているもの以外の要素又はステップの存在を排除するものではない。単数の要素への参照は、複数のそのような要素への参照を除外するものではなく、その逆も同様である。実施形態のうちの１つ又は複数が、いくつかの個別の要素を備えるハードウェアによって、及び／又は適切にプログラムされたコンピュータによって実現されてよい。いくつかの手段を列挙するデバイスの請求項において、これらの手段のうちのいくつかが、ハードウェアの１つの及び同一のアイテムによって具現化されてよい。特定の手段が互いに異なる従属請求項に列記されているという単なる事実は、これらの手段の組み合わせが有利に利用され得ないことを示すものではない。
【図１】
2018529434.tif 000003
【図２】
2018529434.tif 000004
【図３】
2018529434.tif 000005
【図４】
2018529434.tif 000006
【図５】
2018529434.tif 000007
【図６】
2018529434.tif 000008
【図７】
2018529434.tif 000009
【図８】
2018529434.tif 000010
【図９】
2018529434.tif 000011
【図１０】
2018529434.tif 000012
【図１１】
2018529434.tif 000013
【図１２】
2018529434.tif 000014
【図１３】
2018529434.tif 000015
【図１４】
2018529434.tif 000016
【図１５】
2018529434.tif 000017
【国際調査報告】
2018529434.tif 000018
2018529434.tif 000019